Podtech/llm-jp-corpus-v4-ja_patent huggingface dataset:
(57)【要約】      （修正有）【課題】３輪車や４輪車に備えさせて、分離させた部分を別用途に利用できるように着脱容易で、接続時に強固で車体を安定させ、安全な走行を可能にする着脱金具を提供する。【解決手段】例えば３輪自転車の前輪部と後輪部を着脱可能にして、自転車の機能で利用したり、分離させた２輪部を任意に乳母車や車椅子などの形態で利用できるように、接続部を強固で着脱容易にした着脱金具１を備えた３輪車、又は４輪車の提供で、この課題を解決する。【選択図】図１
0003146091.tif 000002
【実用新案登録請求の範囲】
【請求項１】
３輪車又は４輪車の２輪部分の前輪部、又は後輪部が容易に着脱でき、分離させて別用途の活用が出来る目的で、また接続時に接続部が強固で車体が安定し安全な走行が可能な着脱金具１を備えた、３輪車又は４輪車。
【考案の詳細な説明】
【技術分野】
【００１】  本考案は３輪車又は４輪車の前輪部と後輪部を分離させて、別用途に活用することに関する。
【背景技術】
【００２】  従来の３輪車又は４輪車を分離させて、別用途に活用できることは無かった。
【考案の開示】
【考案が解決しようとする課題】
【００３】  これでは、例えば用途別に自転車、乳母車、車椅子と云うふうに、別々に購入しなければならなかった為、経済的負担が大きかったし、利用範囲がせまく、利用者の年令や生活状況の変化による廃棄不要の頻度が多かった。
【課題を解決するための手段】
【００４】  そこで、例えば３輪自転車の前輪部と後輪部を容易に着脱可能な金具を提供すると、分離させた２輪部分を任意に乳母車や車椅子の形態で利用することができるのである。
【考案の効果】
【００５】  よって、本考案の着脱可能な金具の提供により、例えば買い物先へは、本考案の自転車機能で時間の短縮の効果と、近くでの買い物や用事で利用していた乗用自動車の燃料費の節減も求められ、買い物先では分離させて（図３）のような形態で幼児の乳母車や荷台として利用できるし、車椅子で考えると介護者の手押し移動の負担が自転車機能によって軽減され、分離させて自走可能なオプションにより、従来の車椅子として利用できるのである。
【考案を実施するための最良の形態】
【００６】  本考案に係わる着脱可能な金具は、３輪車や４輪車に備えさせて、分離させた部分を別用途に利用できるように着脱容易で、接続時に強固で車体を安定させ、安全な走行を可能にする着脱金具１を提供することである。
【図面の簡単な説明】
【００７】
【図１】  本考案に係る３輪自転車の場合の図である。
【図２】  本考案に係る３輪自転車の場合の分離させた図である。
【図３】  本考案に係る分離させた前部の斜視図である。
【符号の説明】
【００８】  １      着脱金具
２      車体前部
３      車体後部
４      別用途形態の乳母車や車椅子など
５      分離時の車体後部のスタンド
【図１】
0003146091.tif 000003
【図２】
0003146091.tif 000004
【図３】
0003146091.tif 000005
【手続補正書】
【提出日】平成20年7月30日(2008.7.30)
【手続補正１】
【補正対象書類名】実用新案登録請求の範囲
【補正対象項目名】全文
【補正方法】変更
【補正の内容】
【実用新案登録請求の範囲】
【請求項１】
３輪自転車の車体前部と車体後部が連結する任意な箇所に着脱金具を備えて容易に車体前部と車体後部を分離させて、車体前部の前輪部や車体後部の後輪部を別用途に活用できるように備える着脱金具であり、
車体前部と車体後部を着脱金具で連結して自転車として利用でき、
その着脱金具を操作して車体前部と車体後部を分離させ車体前部の前輪部または車体後部の後輪部を乳母車や車椅子として活用できるように、
車体前部と車体後部を容易に連結したりまたは分離させる操作ができる着脱金具を備える
ことを特徴とする前輪部と後輪部が着脱可能な３輪車又は４輪車。
(57)【要約】      （修正有）【課題】ケース本体に保冷、保温等では得られなかった鮮度、おいしさ、他等を維持する機能の装置を設けたケースを提供する。【解決手段】冷蔵装置、温熱装置、混合臭消去装置、抗菌装置、湿気除去装置をケース本体に設置して業務用、家庭用、レジャー用、他等に手軽に持ち運び出来るケースで、食物や飲物の鮮度、おいしさ、他等を維持して素材に軽量で防冷、防熱材を使用したケースである。【選択図】図２
0003146301.tif 000002
【実用新案登録請求の範囲】
【請求項１】
ケース本体に冷蔵、温熱、混合臭消去、抗菌、湿気除去、装置を設置して業務用、家庭用、レジャー用、他等に食物や飲物の鮮度、おいしさ他等を維持して手軽に持を運び出来るケースで素材に安全のために軽量で防冷、防熱材を使用したところが特徴である。
【考案の詳細な説明】
【技術分野】
【０００１】  本考案は、冷蔵、温熱、他等の装置を設けたケースに関するものである。
【背景技術】
【０００２】  御弁当会社、食品会社、他等において作りたてそのままの温かさ、冷たさ、鮮度、おいしさを維持し、混合臭、抗菌、湿気等を除去する事が出来るケースは無かった。
【考案の開示】
【考案が解決しようとする課題】
【０００３】  保冷、保温等だけでは、作りたての鮮度、おいしさを維持又は、混合臭、抗菌、湿気等を除去する事が出来なかった、従ってケース本体にそれを補う機能の装置等を設置する事で前述の欠点を解決しようとするものである。
【課題を解決するための手段】
【０００４】  本考案は、ケース本体に冷蔵、温熱、混合臭、抗菌、湿気等を除去する装置を設け食物や飲物等の鮮度、おいしさ他等を衛生的、安全に維持して常時、手軽に持ち運び又冷蔵、温熱する事により問題点を解決している。
【考案の効果】
【０００５】  上述の様に本考案の冷蔵、温熱他等装置付ケースはケース本体に冷蔵、温熱他等の装置を設けたので従来の保冷、保温だけのケースでは成し得なかった多種、多様の機能を設置したケースである。
【考案の実施するための最良の形態】
【０００６】  ケース本体の下部を二段にして、一段目に冷蔵、温熱装置、混合臭、抗菌、湿気等を除去する装置を設けて、二段目にその装置等の機能を発生するための通気口、溝等を設け、ケース本体の素材に軽量で防冷、防熱材を使用して衛生的、安全に便利に作り上げる。
【実施例】
【０００７】  以下、添付図面に従って一実施例を説明する。Ｉは防冷、防熱、軽量のプラスチックス等適宣素材にて一体化形成されたケース本体、２は冷蔵、温熱、混合消臭、抗菌、湿気除去、充電等の装置を設けたケース本体の内面で、３は冷蔵、４温熱、５混合消臭、６抗菌、７湿気除去、８充電とコンセント等の装置で、９はケース本体と充電装置連動スイッチ、１０冷蔵装置、１１温熱装置のスイッチ１２混合消臭、抗菌、湿気除去装置の連動スイッチ、１３防冷、防熱素材、１４通気口、溝等で作り上げる。【０００８】  本考案の一実施例は上述の如き構成からなるものであるから、ケース本体は携帯の冷蔵、温熱ケースとしても使用できる。
【図面の簡単な説明】
【０００９】
【図１】本考案の冷蔵、温熱、他等の装置付ケースの実施例を示す正面図である。
【図２】本体ケースの全部の内面図である。
【図１】
0003146301.tif 000003
【図２】
0003146301.tif 000004
【手続補正書】
【提出日】平成20年8月8日(2008.8.8)
【手続補正１】
【補正対象書類名】実用新案登録請求の範囲
【補正対象項目名】全文
【補正方法】変更
【補正の内容】
【実用新案登録請求の範囲】
【請求項１】
冷蔵装置，温熱装置，混合臭消去装置，抗菌装置，湿気除去装置をケース本体に設置して業務用，家庭用，レジャー用，他等に手軽に持ち運び出来るケースで，食物や飲物の鮮度，おいしさ，他等を維持して素材に軽量で防冷，防熱材を使用したケース。
(57)【要約】      （修正有）【課題】親水性機能および紫外線・赤外線カット機能を持った透明傘を提供する。【解決手段】遮光フイルム３を、傘の親骨１との間の小間２の寸法に合わせて、順次繋ぎ合わせて傘状に形成する。この傘状の遮光フイルムの頂部を天紙７と共に、石突き軸９に刺通して、菊座５と上ろくろ６の間に挟さんだ状態で設ける。またこの時に、傘状の遮光フイルムのスカート部位１０は、親骨１に被せた状態に設け、また該フイルムの先端を露先１１に固定して設け、開いた状態の傘に形成し、傘状の遮光フイルムの外側全面に、親水性塗料を塗布またはコーティングしたことを特徴とする。【選択図】図１
0003146303.tif 000002
【実用新案登録請求の範囲】
【請求項１】
遮光フイルム（３）を、傘の親骨（１）との間の小間（２）の寸法に合わせて、順次繋ぎ合わせて傘状に形成する、この傘状の遮光フイルム（８）の頂部（４）を天紙（７）と共に、石突き軸（９）に刺通して、菊座（５）と上ろくろ（６）の間に挟さんだ状態で設ける、またこの時に、傘状の遮光フイルム（８）のスカート部位（１０）は、親骨（１）に被せた状態に設け、また該フイルムの先端を露先（１１）に固定して設け、開いた状態の傘に形成する、つぎに傘状の遮光フイルム（８）の外側全面に、親水性塗料（１２）を塗布またはコーティングしたことを特徴とする、親水性機能および紫外線・赤外線カット機能を持った透明傘。
【考案の詳細な説明】
【技術分野】
【０００１】  本考案は、透明傘の利点と欠点を検証し、その技術改良に関するものである。
【背景技術】
【０００２】  透明な傘は、前方および周囲の視界が良いので雨傘としては大変普及している。
【考案の開示】
【考案が解決しようとする課題】
【０００３】  透明傘は視界性が良いのは当然であるが、しかし以外にも降雨時の傘に水滴が玉になって付着するために、視界が極端に悪いと云う事がわかった。また、傘表面は汚れ易く且つ、目立つ欠点がある。さらに日傘としては、視界はとても良く、使い勝手も良いが、太陽光線を直に浴びてしまうので、日除け用の日傘としては需要が無かった。
本考案は、このような問題点なりを解消する為になされたものである。
【課題を解決するための手段】
【０００４】  日中の紫外線や赤外線を効率良くカットする、遮光フイルム（３）を、傘の親骨（１）との間、つまり小間（２）の寸法に合わせてカット加工したものを、順次、圧着して繋ぎ合わせて傘状に形成する。この傘状の遮光フイルム（８）の頂部（４）を天紙（７）と共に、石突き軸（９）に刺通して、菊座（５）と上ろくろ（６）の間に挟さんだ状態で設ける。またこの時に、傘状の遮光フイルム（８）のスカート部位（１０）は、全体の親骨（１）に被せた状態に設ける。また該フイルムの先端を親骨（１）の先端部に差し込んだ、露先（１１）に固定して設けて、開いた状態の傘に形成する。つぎにこの、傘状の遮光フイルム（８）の外側全面に、親水性塗料（１２）を塗布またはコーティングを施す。
本考案は以上のような構成による、親水性機能および紫外線・赤外線カット機能を持った透明傘である。
【考案の効果】
【０００５】  １．日傘としては透明傘でありながら、紫外線を９５％カット、赤外線を９０％カットしてくれるので、皮膚等美肌を保護してくれる。また可視光線などは１００％透過するので非常に見透視の良い、クリアーな傘である。
２．雨傘としては親水性が高いので、傘表面に付く雨滴は玉にならず、傘表面を雨や埃や砂、泥粒等と共に滑り流れ落ちるので、視界が跳躍的に向上した。この性質により、傘の防汚性が高くなり、いつも奇麗な状態で長持ちする。
３．構造構成がシンプルでありながら、付加価値の高い傘が製作出来る。
【考案を実施するための最良の形態】
【０００６】  太陽光の紫外線９５％、赤外線９０％を効率良くカットする、遮光フイルム（３）を、傘の親骨（１）と親骨（１）との間、つまり小間（２）の寸法に合わせてカット加工したものを、１枚ずつ順次、圧着して繋ぎ合わせて傘状に形成する。この傘状の遮光フイルム（８）の頂部（４）を天紙（７）と共に、石突き軸（９）つまり中棒の先端部に、刺通して、菊座（５）と上ろくろ（６）の間に挟さんだ状態で固定して設ける。またこの時に、傘形状の遮光フイルム（８）のスカート部位（１０）は、傘全体の親骨（１）に被せた状態に広げて設ける。また該フイルムの先端を、親骨（１）の先端部、つまり傘の裾突端部に差し込んである、露先（１１）に固定して設けて、開いた状態の傘に形成する。つぎにこの、傘状の遮光フイルム（８）の外側全面に、親水性塗料（１２）を塗布またはコーティングを施す。
本考案は以上のような構成であり、これを使用実施するときには、【０００７】  通常は日傘として利用、特に日中は強い紫外線と赤外線を受けるが、これをほとんど除去してくれる。夏など曇りの日でも紫外線は強く、この傘は必要である。突然の雨でも、傘の表面には雨粒等は付着せず、非常に視界は良好である。また、親水性機能を備えているので、埃、塵、ゴミ、砂や泥の微粒子、その他も雨滴と共に流し落とすので、常に傘表面は奇麗に保たれているので、干したり、掃除したりの、手入れが不要である。
【図面の簡単な説明】
【０００８】
【図１】  本考案の斜視図である。
【図２】  本考案の加工説明図である。
【符号の説明】
【０００９】      １  親骨
２  小間
３  遮光フイルム
４  頂部
５  菊座
６  上ろくろ
７  天紙
８  傘状の遮光フイルム
９  石突き軸
１０  スカート部位
１１  露先
１２  親水性塗料
【図１】
0003146303.tif 000003
【図２】
0003146303.tif 000004
【手続補正書】
【提出日】平成20年8月11日(2008.8.11)
【手続補正１】
【補正対象書類名】実用新案登録請求の範囲
【補正対象項目名】全文
【補正方法】変更
【補正の内容】
【実用新案登録請求の範囲】
【請求項１】
遮光フイルム（３）を、傘の親骨（１）との間の小間（２）の寸法に合わせて、順次繋ぎ合わせて、傘状の遮光フイルム（８）に形成し、これを親骨（１）に被せた状態に固定して設け、つぎにこの、傘状の遮光フイルム（８）の外側全面に、親水性塗料（１２）を塗布したことを特徴とする、親水性機能および紫外線・赤外線カット機能を持った透明傘。
(57)【要約】      （修正有）【課題】塩ビ等樹脂製のバッグの面に空気及び浮遊物を入れたものである。【解決手段】２枚の塩ビ等樹脂板の間に、空気及び浮遊物を入れ、好みの模様の線で熱溶着した物を使いバッグを作る。空気及び浮遊物を封じ込める事により、バッグを動かすと浮遊物が動き楽しい。浮遊物を社名等印刷した物にする事も可能で、宣伝効果も高い。又、空気を入れる事でクッションの効果で、内容物を保護するとともに、使用時の感触が良い。【選択図】図１
0003146309.tif 000002
【実用新案登録請求の範囲】
【請求項１】
バッグの面を、２枚の塩ビ等樹脂板の間に空気及び浮遊物を入れ、好みの模様形状で熱溶着した物で作る。
【考案の詳細な説明】
【技術分野】
【０００１】本考案は、２枚の塩ビ等樹脂板の間に、空気及び浮遊物を入れ熱溶着し作ったバッグである。
【背景技術】
【０００２】塩ビ等樹脂製のバッグは、本体の色、形、プリントの模様等で製品に変化を付けている。
【考案の開示】
【考案が解決しようとする課題】
【０００３】塩ビ等樹脂製バッグは、本体の色、形、プリントの模様等で独自性を持たせているが、変化に乏しい。
【課題を解決するための手段】
【０００４】バッグの本体を、２枚の塩ビ等樹脂板の開に空気及び浮遊物を入れ、周囲及びバッグの面となる部分に好みの模様となる線で、熱溶着し封じ込める。
【考案の効果】
【０００５】２枚の塩ビ等樹脂板の間に、空気及び浮遊物を封じ込める事により、バッグを動かすと浮遊物が動き楽しい。浮遊物を社名等印刷した物にする事も可能で、宣伝効果も高い。又、空気を入れる事でクッションの効果で、内容物を保護するとともに、使用時の感触が良い。
【考案を実施するための最良の形態】
【０００６】２枚の塩ビ等樹脂板の間に空気及び浮遊物を入れ、好みの線で熱溶着し、それらを封入した物でバッグを作る。
【図面の簡単な説明】
【０００７】
【図１】空気及び浮遊物入りバッグの正面図である。
【図２】空気及び浮遊物入りバッグを分解した様子である。
【符号の説明】
【０００８】１  塩ビ等樹脂板
２  空気及び浮遊物
３  熱溶着の線
【図１】
0003146309.tif 000003
【図２】
0003146309.tif 000004
【手続補正書】
【提出日】平成20年8月14日(2008.8.14)
【手続補正１】
【補正対象書類名】実用新案登録請求の範囲
【補正対象項目名】全文
【補正方法】変更
【補正の内容】
【実用新案登録請求の範囲】
【請求項１】
２枚の塩ビ等樹脂板の間に空気及び浮遊物を入れ、周囲及び面を好みの模様形状で熱溶着して作った、空気及び浮遊物入りバッグ。
(57)【要約】      （修正有）【課題】触感が極めて良く、且つ放熱効果が極めて良い織物を提供する。【解決手段】複数本の糸を交錯に紡績して構成される、表面層と、内層と、から構成される織物において、前記内層は、ポリマーに複合鉱石パウダーが混入されたベース粒子を含有する糸で紡績されたものであり、前記糸において、複合鉱石パウダーの含有量は１〜５０％であり、前記複合鉱石パウダーは、サブミクロンクラスのパウダーであり、その粒径が０．１μｍ〜８μｍである。【選択図】図１
0003146304.tif 000002
【実用新案登録請求の範囲】
【請求項１】
複数本の糸を交錯に紡績して構成される、表面層と、内層と、から構成される織物において、
前記内層は、ポリマーに複合鉱石パウダーが混入されたベース粒子を含有する糸で紡績されたものであることを特徴とする、
織物。
【請求項２】
前記糸において、複合鉱石パウダーの含有量は１〜５０％であることを特徴とする、請求項１に記載の織物。
【請求項３】
前記複合鉱石パウダーは、サブミクロンクラスのパウダーであり、その粒径が０．１μｍ〜８μｍであることを特徴とする、請求項１に記載の織物。
【考案の詳細な説明】
【技術分野】
【０００１】
本考案は、織物に関し、特に、触感が極めて良く、且つ放熱効果が極めて良い織物に関するものである。
【背景技術】
【０００２】
地球の温暖化に従って、少ない衣服を着ても、熱く感じる人も多い。だから、夏季節では、綿や麻などの材質の衣服を着る人が多く、そして明るい色の衣服を選択することが極めて重要である。そうすると、陽光の輻射熱を遮ることができ、使用者は涼しく感じることができる。
しかし、科学技術の進展に伴って、斬新な繊維が開発されている。その代表的なものはテンセル（ＴＥＮＣＥＬ）である。
テンセルは、天然な材質であり、パルプをナノ技術によって作製されたものであり、絹織物のように柔らかく、ポリエステル繊維のように強靭であり、麻織物のように涼しく、羊毛のように暖かく、綿織物のように吸水性が良い。
だが、作製が困難であり、生産コストが高く、量産することができない。
【０００３】
一方、涼しく感じられる織物の作製は、相移転材料（ＰＣＭ）加工を施すことが必要である。相移転材料（ＰＣＭ）は、米国宇宙センター（ＮＡＳＡ）により開発された機能性材料であり、体温を調節し緩衝する機能を有し、使用者が熱く感じているときには、マイクロカプセルの内部の氷が熱を吸収して水になり、これにより、使用者が何時も涼しく感じる。
しかし、これは特殊用途に使用される技術であるので、一般の織物に適用することができない。
【考案の開示】
【考案が解決しようとする課題】
【０００４】
本考案の主な目的は、触感が極めて良く、且つ放熱効果が極めて良い織物を提供することにある。
【課題を解決するための手段】
【０００５】
本考案の請求項１に記載の織物によると、複数本の糸を交錯に紡績して構成される、表面層と、内層と、から構成される織物において、前記内層は、ポリマーに複合鉱石パウダーが混入されたベース粒子を含有する糸で紡績されたものであることを特徴とする織物である。
【０００６】
本考案の請求項２に記載の織物によると、前記糸において、複合鉱石パウダーの含有量は１〜５０％である。
本考案の請求項３に記載の織物によると、前記複合鉱石パウダーは、サブミクロンクラスのパウダーであり、その粒径が０．１μｍ〜８μｍである。
【考案の効果】
【０００７】
本考案の織物によれば、次のような効果がある。
（１）本考案に係る織物は、特殊な織り方によって紡績され互いに連接している、表面層と、内層と、から構成され、人体と接触する内層は、透気性が良く、放熱効果が極めて良いので、本考案に係る織物を着ている使用者は涼しく感じることができる。
（２）本考案に係る織物の内層は、ポリマーに複合鉱石パウダーが混入されたベース粒子を含有する糸で紡績されたものであるので、触感が柔らかく、放熱効果が良く、量産することができる。
【０００８】
（３）本考案に係る織物の内層は、ポリマーに複合鉱石パウダーが混入されたベース粒子を含有する糸で紡績されたものであるので、スポーツをやっているときには、心拍数が降下し、汗排出量が減少し、熱く感じなく、これにより、使用者は、精神を集中し易くなり、疲労を感じる時間が遅延される。
【考案を実施するための最良の形態】
【０００９】
以下、本考案の実施の形態を図面に基づいて説明する。
まず、図１を参照する。図１は本考案に係る織物の概略図である。
本考案に係る織物１は、複数本の糸を交錯に紡績して構成される、表面層１１と、内層１２と、から構成される。
表面層１１は、一般の糸で紡績して構成されるものである。
内層１２は、ポリマーに１〜５０％のサブミクロンクラスの複合鉱石パウダーが混入されたベース粒子を含有する糸で紡績されたものである。
【００１０】
図１に示すように、織物１の表面層１１及び内層１２は、特殊な織り方によって紡績され互いに連接しており、なお、前記ポリマーは、ナイロンパウダーであってもいいし、ポリエステルパウダーであってもいいし、ポリプロピレンパウダーであってもよく、また、前記サブミクロンクラスの複合鉱石パウダーの粒径は０．１μｍ〜８μｍである。
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１１】
【図１】本考案に係る織物の概略図である。
【符号の説明】
【００１２】
１：織物、１１：表面層、１２：内層。
【図１】
0003146304.tif 000003
【手続補正書】
【提出日】平成20年9月4日(2008.9.4)
【手続補正１】
【補正対象書類名】明細書
【補正対象項目名】０００２
【補正方法】変更
【補正の内容】
【０００２】
地球の温暖化に従って、少ない衣服を着ても、熱く感じる人も多い。だから、夏季節では、綿や麻などの材質の衣服を着る人が多く、そして明るい色の衣服を選択することが極めて重要である。そうすると、陽光の輻射熱を遮ることができ、使用者は涼しく感じることができる。
しかし、科学技術の進展に伴って、斬新な繊維が開発されている。その代表的なものはテンセル（ＴＥＮＣＥＬ）（登録商標）である。
テンセルは、天然な材質であり、パルプをナノ技術によって作製されたものであり、絹織物のように柔らかく、ポリエステル繊維のように強靭であり、麻織物のように涼しく、羊毛のように暖かく、綿織物のように吸水性が良い。
だが、作製が困難であり、生産コストが高く、量産することができない。
(57)【要約】      （修正有）【課題】保温性があって足に密着し、ずれにくく適度なクッション力があり、着地時の衝撃を和らげるソックス型の室内履きを提供する。【解決手段】形状をソックス型にして密着性と安定性を高め、保温性を向上させる。さらに着脱を容易にするため、合成ゴムを素材とすることで伸縮性とクッション性を持たせる。その上で足裏には適度な刺激を与えるためシリコンゴムのポイントパターンを足裏接地面に塗付した。また足底には滑り止めとして、ゴムに特殊加工した温泉の湯の花を塗付したことを特徴とする。【選択図】図４
0003146306.tif 000002
【実用新案登録請求の範囲】
【請求項１】
靴下の様に足にフィットし、ずれ防止と足裏に適度な刺激を与える様シリコンゴムのポイントパターンを足裏接地面に塗付した室内履き
【請求項２】
足裏接地面と本体裏面に塗付したシリコンゴムに、秋田県玉川温泉の湯の花を特殊加工したパウダーを含有させた室内履き
【考案の詳細な説明】
【技術分野】
【０００１】本考案は保温と安全性を考慮し、なおかつ天然ラジウム放射線を放射する室内履きに関するものである。
【背景技術】
【０００２】従来より室内履きとしてはスリッパやサンダルがあり、近年では靴に似た形状で、足を包み込むような形のものも使用されている。
【考案の開示】
【考案が解決しようとする課題】
【０００３】スリッパやサンダルは足の前方で履物を支えるため、全体重を両足裏全体で支えることは出来ず、そのため不安定で安全性に乏しい面がある。また保温性においても、履物と足が常に密着している訳ではないため決して良好とは言えず、靴に似た形状の場合は着脱しづらい面があった。
【課題を解決するための手段】
【０００４】前期課題を解決するため、形状をソックス型にして密着性と安定性を高め、保温性を向上させる。さらに着脱を容易にするため、合成ゴムを素材とすることで伸縮性とクッション性を持たせる。その上で足裏には適度な刺激を与えるため、また足底には滑り止めとして、ゴムに特殊加工した玉川温泉の湯の花を塗付したことを特徴とした。
【考案の効果】
【０００５】本考案の室内履きは、素材をゴムにしたことでクッション性が高いため、装着している際体重を支える足に対する負担を軽減することが出来る。さらに密着性が高いので保温性が高まるが、伸縮性があるため着脱が容易で、本人のみならず第三者に装着してもらう場合でも簡単に履くことが出来るため、さまざまな状態の人が利用することが出来る。
【図面の簡単な説明】
【０００６】
【図１】本考案の装着時の爪先側からの表面図である
【図２】同上踵側からの表面図である
【図３】同上の側面図である
【図４】同上の足底図である
【符号の説明】
【０００７】１    室内履き本体
１０  足
【図１】
0003146306.tif 000003
【図２】
0003146306.tif 000004
【図３】
0003146306.tif 000005
【図４】
0003146306.tif 000006
【手続補正書】
【提出日】平成20年8月20日(2008.8.20)
【手続補正１】
【補正対象書類名】実用新案登録請求の範囲
【補正対象項目名】請求項２
【補正方法】変更
【補正の内容】
【請求項２】
足裏接地面と本体裏面に塗付したシリコンゴムに、秋田県玉川温泉（登録商標）の湯の花を特殊加工したパウダーを含有させたことを特徴とする請求項１記載の室内履き
(57)【要約】      （修正有）【課題】工作物の下穴に、簡単に完全なネジを切るタップを提供する。【解決法】タップの先端に、下穴径に隙間なく入る外径のガイドピンを設けることによりガイドピンが下穴に先に入りタップを正確な角度で保持するため、そのまま切り込めば正確なネジが切り込める。次に、従来のタップに変え、規定の深さまでネジを切る。【選択図】図２
0003146307.tif 000002
【実用新案登録請求の範囲】
【請求項１】
ネジ切り用タップの切り込み側（先端）に、工作物の下穴に隙間なく入る外径のガイド用ピンを設けた、切り込み専用タップ。
【考案の詳細な説明】
【技術分野】
【０００１】  本考案は、工作物の下穴に、完全なネジを切るものである。
【背景技術】
【０００２】  従来は、作業者の勘により正しいと思われる角度でタップを保持し、ネジを切っていた。
【考案の開示】
【考案が解決しょうとする課題】
【０００３】  しかし、作業者の勘だけでは正確な角度に保持することは難しく、手作業によるネジ切りでは傾むいたネジが切れたり、時にはタップが折れてしまうという不都合を解決すること。
【課題を解決するための手段】
【０００４】  この課題を解決するための請求項１の考案は、タップの先端に下穴径に隙間なく入る外径のガイドピンを設けることによりこの課題を解決した。
【考案の効果】
【０００５】  本考案により、ガイドピンが先に下穴に入り込みタップを正しい角度に保持するため完全なネジが簡単に切れるようになった。
【考案を実施するための最良の形態】
【０００６】  本考案の使い方は、従来のタップを使う前にこのガイドピン付き切り込み専用タップであらかじめ切り込むことにより、完全な角度の切り込が出来、次に従来のタップを使うことにより、完全な角度のネジが切れる。
【図面の簡単な説明】
【０００７】
【図１】本考案に係るガイドピン付きタップの斜視図である
【０００８】
【図２】本考案に係るガイドピン付きタップの使用時、断面図である。
【符号の説明】
【０００９】    １    ガイドピン
２    タップ
３    工作物
４    下穴
【図１】
0003146307.tif 000003
【図２】
0003146307.tif 000004
【手続補正書】
【提出日】平成20年8月11日(2008.8.11)
【手続補正１】
【補正対象書類名】実用新案登録請求の範囲
【補正対象項目名】全文
【補正方法】変更
【補正の内容】
【実用新案登録請求の範囲】
【請求項１】
ネジ切り用タップの切り込み側に、工作物の下穴に隙間なく入る外径のガイド用ピンを設けた、切り込み専用タップ
(57)【要約】      （修正有）【技術分野】レシピ内容に合わせたデザインで、紙風船デザイン容器の着脱による調味料の判別や持ち運びに便利で、広告機能を持った紙風船デザイン容器を提供する。【解決手段】紙風船をデザイン容器とするため、運搬に必要である各種のデザインされた把手を装着する。調味料の形相デザイン袋に粘着部位を設け、開口部を開線補助の部位として、又は素材に接触しないようにシールする構成で閉口する。企業別のデザインによってデザイン変化するものである。【選択図】図１
0003146310.tif 000002
【実用新案登録請求の範囲】
【請求項１】
運搬しやすくデザインし、調味料入れ用の付帯デザインを設けた紙風船。
【考案の詳細な説明】
【技術分野】
【０００１】本考案は、本の内容に合わせて、紙風船とデザイン容器の着脱によるケータリングサービス、持ち運び用のデザイン容器である。
【技術背景】
【０００２】従来、紙風船はあった。
【考案の開示】
【考案が解決しようとする課題】
【０００３】そのために次のような問題点があった。
（イ）  ボールとしての用具だけだった。
（ロ）  中は空気であると思われていた。
【考案を解決しようとする手段】
【０００４】例えば、ひとつ分の圧縮米炊き容器としてお米を炊き、紙風船内でころがすと、丸型のおにぎりがつくれる。運搬用の調味料容器のデザインを紙風船と種類別の容器に形相して着脱すると、お米と調味料の種類などが選択できてすぐわかる。そして、サラダ、ドレッシング、水、デザート、おまけなども、全て紙風船容器に入れて運搬することができるため、運搬中でも、バックの中を見なくても、忘れ物がないかチェックできる。
【考案の効果】
【０００５】持ち運ぶのが軽く、アクセサリーのようにいくつも持ち歩ける。そして、風船のように掲げたり、バックやくるくる回しても持ち歩けるから、企業の宣伝にもなるし、賞味期間も明確、紙風船は破れにくく、シールは強力で開封すると破損するため、再粘着は不可能であるように構成する。また、透明な部分デザインを利用したり、すべて見せるデザインにしたり、様式美に合わせて。
【考案を実施するための最良の形態】
【０００６】以下、本    の実施の形態について説明する。
（イ）紙風船（ロ）デザインされた紙風船（ハ）デザイン分け調味料容器（二）企業銘柄などを設ける。
転がしても丸いおにぎりができる。デザインや書き込みができるため、大小にかかわらず、形相デザインが別の成型であっても、中に丸い空間を用いる成形をすることで、事物を他と区別する本質的な特徴をとなるため、企業別のデザインが効果的宣伝広告となる。
そのため、ケータリングサービスの運搬作業がデザインでも特徴を表すことで、忘れ物などが省ける。
【図面の簡単な説明】
【０００７】
【図１】  本考案の使用状態を示す正面参考例の図
【図２】  本考案のケータリング中を示す参考例の図
【符号の説明】
【０００８】１    デザイン着脱容器
２    紙風船
３    ねこ
【図１】
0003146310.tif 000003
【図２】
0003146310.tif 000004
(57)【要約】      （修正有）【課題】アームをスライドさせて長さを調整することで、幅広な洗濯物にもしわを発生させることなく干すことができる傘型物干し具を提供する。【解決手段】傘型物干しのアーム１を、上下２段として、上段は短く下段は長くし、それぞれのアームはスライドが出来るように、固定部のアーム３はパイプにし、先端に移動部のアーム４が離れないように、パイプの内側に突起を付ける、移動部のアームは元の部分の外側に突起を付け、固定部と離れないようにする、上下のアーム数はそれぞれ２０本程度とする。【選択図】図１
0003146341.tif 000002
【実用新案登録請求の範囲】
【請求項１】
傘型物干しのアームを、上下２段として、上段は短く下段は長くし、それぞれのアームはスライドが出来るように、固定部のアームはパイプにし、先端に移動部のアームが離れないように、パイプの内側に突起を付ける、移動部のアームは元の部分の外側に突起を付け、固定部と離れないようにする、上下のアーム数はそれぞれ２０本程度とする、アームを洗濯物の幅（長さ）に合わせ、しわにならずに一度に大量の物を干す事の出来る傘型物干し具。
【考案の詳細な説明】
【技術分野】
【０００１】  本考案は、洗濯物に合わして、アームを調整ししわや折れ目がつかないように干すことが出来、上下二段にすることで小物から大物まで一度に大量の物を干す事が出来る、固定板にアームを固定することで収納時のばらつきを防ぐ。
【背景技術】
【０００２】  従来の傘型物干し具は、アームが一定の長さであるため、幅広物は、二重にしたりアームからはみ出し折れ目がついたり、しわになっていた、
【考案の開示】
【考案が解決しようとする課題】
【０００３】  従来品は、アームが短いためバスタオルや長袖シャツを干すのに折れ目がついたりしわになり不快感が残ったり。
【課題を解決するための手段】
【０００４】  本考案は、アームをスライドすることで長さを自由に調整し幅広物を折ったり、垂らしたりすることなく、干すことが出来るのでしわになりにくい。
【考案の効果】
【０００５】  洗濯物が、しわになりにくいので、余分なアイロンをかけることがなくなる。
【考案を実施するための最良の形態】
【０００６】  アームを洗濯物に合わせしわを伸ばし、日当たりの良いところで干す、収納時にはアームを縮め従来品のようにコンパクトに収納する。
【図面の簡単な説明】
【０００７】
【図１】本考案の傘型物干し具の図
【符号の説明】
【０００８】    １アーム
２洗濯ハサミ
３アームの固定部の拡大図
４アームの移動部の拡大図
【図１】
0003146341.tif 000003
(57)【要約】      （修正有）【課題】断熱性と透光性に優れたシート状の断熱材を提供する。【解決手段】二枚の透光性合成樹脂シートを相互固着してなる断熱材において、相互固着部を線状固着部とすることにより、互いのシート間に空気層を設けたことを特徴とする。従って、このシートは線状固着部を境にして折曲自在であるとともに、透光性を有し、また空気層にてその面積の大半が占められるために高い断熱性能を発揮することができる。【選択図】図３
0003146348.tif 000002
【実用新案登録請求の範囲】
【請求項１】
二枚の透光性合成樹脂シートを相互固着してなる断熱材において、相互固着部を線状固着部とすることにより、互いのシート間に空気層を設けたことを特徴とするシート状断熱材。
【請求項２】
線状固着部の一部を点状固着部としてなる請求項１記載のシート状断熱材。
【考案の詳細な説明】
【技術分野】
【０００１】  この考案は、内部に空気層を有するシート状の断熱材に関する。
【背景技術】
【０００２】  従来より、種々の断熱材が開発され、利用されているが本案にて示すように、線状固着部を有するものは現在のところ見あたらない。
【考案の開示】
【考案が解決しようとする課題】
【０００３】  断熱材は、家屋やビニールハウス等に多用されており、その種類も多岐にわたっている。
なじみ深いものとしては、気泡シート、発泡合成樹脂等がある。気泡シートは円形の空気層を多数設けた柔軟性を有するシート材で、緩衝材に多用され、全体的には半透明の物品である。発泡合成樹脂には軟質のものと硬質のものとに大別され、軟質はいわゆるスポンジ状のものであり、硬質は板状定形材である。この両者は不透明材料である。
窓やベランダあるいはビニールハウス等の断熱としては透光性を有することが必要であり、以前より透明ビニール樹脂シートなどが利用されてきた。しかし、このシートには空気層が無く、その断熱性能に難がある。一方、前述の発泡合成樹脂は多数の空気層（気泡）を有するものの不透明のため、採光を必要とする用途には使えない。
前述の気泡シートはある程度の透光性と断熱性を有するもののそのいずれも不十分である。すなわち、平面シート上に、多数の円形凸部（内部は空隙を有する）を有するシートを固着して形成されるため、この円形相互間に所定面積を有する貼着部分があるため、断熱しようとする個所にこのシートを貼着もしくは粘着させたときに、非空気層部分の断熱作用に難があり、十分なる断熱性能は得にくいものであった。
本案は、以上のような従来からの断熱材に関わる課題を解決するために考案されたもので、十分なる断熱性と採光性の双方を有する新規かつ有用なる物品を提供することを目的としたものである。
【課題を解決するための手段】
【０００４】  課題を解決する手段として本案は、以下の構成とした。
すなわち、二枚の透光性合成樹脂シートを相互固着してなる断熱材において、相互固着部を線状固着部とすることにより、互いのシート間に空気層を設ける。
本案は以上の構成よりなるシート状断熱材である。なお、線状固着部の一部を点状固着部として構成してもよい。
【考案の効果】
【０００５】  本案は下記の効果を有する。
１．透光性材料にて形成するので、使用場所の採光性を確保できる。
２．線状固着方式としたので、断熱性能に優れている。
３．シートにより形成するので、粘着又は貼着性にすぐれ、平面のみならず曲面への対応が可能である。
【考案を実施するための最良の形態】
【０００６】  以下、本考案の実施形態について説明する。
図において、１は下シートで、柔軟性透明合成樹脂シートである。２は上シートで、下シートと同一材料である。３は線状固着部で、上シートと下シートの固着部分であり、本例では格子状に形成した。この線状固着部は、一辺が約３０ｍｍ程度で固着巾１ｍｍほどの格子状部分である主線状固着部４と、この一辺により囲まれる方形部分を四分割している固着巾０．５ｍｍ程度の格子状部分である副線状固着部５とから形成される。
この線状固着部以外の上シートは下シートに固着されずに下シート上方に浮き上がっており、空気層６を形成している。従って、このシートは線状固着部を境にして折曲自在であるとともに、透光性を有し、また空気層にてその面積の大半が占められるために高い断熱性能を発揮することができる。
図４は本案の変化例である、前例が副線状固着部を格子状に形成したのに対し、本例は対角線状の副線状固着部としたもので、その他の部分および効果は前例同様である。
図５は、本案の変化例を示すもので、既述の副線状固着部に代えて点状固着部としたものである。つまり、格子状の主線状固着部により囲まれる方形個所の中央に円形小面積の点状固着部７を設けたものであり、作用効果は既述の例と同様である。【０００７】  本案を使用するには、本案品の下面（平滑面）を対象物に貼着もしくは粘着させる。
これにより、対象物と本品は密着一体化し、本品の有する空気層にて断熱効果が得られる。本品はとくに線状固着部や点状固着部にて二枚のシートが貼り合わされるために、下シートから上シートへの伝熱面積が極小であり、高い断熱効果が得られ、この線状固着部を境に自由に折曲可能のために断熱対象物が曲面であっても取付が容易である。
以上本案について記したが、本案は線状固着部を用いて二枚のシートを固着したところにその特徴を有するものである。
従来の農業用ビニールハウスはビニールシート一枚張りのために保温性が低く、暖房時の燃料費が高額になっていた。一方、窓やベランダの結露防止と保温を兼ねた従来の商品には二層構造のものもあるが、空気層の密封度に難があり、高い保温性は得られない。
しかるに本案は、線状固着部を用いて連続する角形構造としたために、空気層の密封度を高めて高い保温能力を有するものとなったのである。また、この構造によって耐張力も増大することとなったのである。本品は９０パーセント以上の高い空気層密封度を有し、ビニールハウスの外張と内張、窓やベランダ用として多用途に使用可能である。
既述の構成にて、本品不使用時に比べて数倍の保温効果が期待され、省エネに寄与することができる。以上のごとく、本案により保温効果大なるシート状の断熱材を得ることができる。
【図面の簡単な説明】
【０００８】
【図１】  本考案の平面図
【図２】  本考案の正面図
【図３】  本考案の要部拡大説明図
【図４】  本考案の他例の平面図
【図５】  本考案の他例の平面図
【図６】  従来品の平面図
【図７】  従来品の正面図
【符号の説明】
【０００９】  １  下シート
２  上シート
３  線状固着部
４  主線状固着部
５  副線状固着部
６  空気層
７  点状固着部
【図１】
0003146348.tif 000003
【図２】
0003146348.tif 000004
【図３】
0003146348.tif 000005
【図４】
0003146348.tif 000006
【図５】
0003146348.tif 000007
【図６】
0003146348.tif 000008
【図７】
0003146348.tif 000009
(57)【要約】      （修正有）【課題】交通誘導棒の発光部本体の損傷を防止、または軽減する緩衝保護構造を提供する。【解決手段】交通誘導棒の発光部本体の一部を軟質材料構造にしたもの、または、発光部の散光の妨げにならない程度の大きさを持った軟質材料で形成された緩衝保護具を、硬質樹脂材料で形成された発光部本体に装着することにより、交通誘導棒をぶつけた時の衝撃を和らげ、車や周囲の物、および交通誘導棒本体の損傷を防止、または軽減するものである。【選択図】図２
0003146343.tif 000002
【実用新案登録請求の範囲】
【請求項１】
交通誘導棒の発光部（２）の一部を、軟質材料構造としたことを特徴とする交通誘導棒。
【請求項２】
交通誘導棒の発光部（２）に装着可能で、軟質材料を使用したことを特徴とする交通誘導棒の緩衝保護具（４）、（５）。
【考案の詳細な説明】
【技術分野】
【０００１】本考案は、発光部本体の一部を軟質材料構造にしたもの、または軟質材料により形成された緩衝保護具を装着した交通誘導棒に関するものである。
【背景技術】
【０００２】交通誘導の時に使用される交通誘導棒の発光部は、硬質樹脂材料で形成されている。
【考案の開示】
【考案が解決しようとする課題】
【０００３】交通誘導で使用される交通誘導棒について、交通誘導棒の発光部本体が硬質樹脂材料で形成されているため、交通誘導棒を振り回した際に車や周囲の物にぶつけた時、それらを傷つけたり、交通誘導棒本体を損傷してしまうことがある。本考案は、それらの損傷を防止、または軽減しようとするものである。
【課題を解決するための手段】
【０００４】本考案は、交通誘導棒の発光部本体の一部を軟質材料構造にしたもの、または発光部の散光の妨げにならない程度の大きさを持った軟質材料で形成された緩衝保護具を、硬質樹脂材料で形成された発光部本体に装着することにより、交通誘導棒をぶつけた時の衝撃を和らげ、車や周囲の物、および交通誘導棒本体の損傷を防止、または軽減しようとするものである。
【考案の効果】
【０００５】上述の様に、発光部本体の一部を軟質材料構造にすること、または軟質材料で形成された緩衝保護具を装着することにより、交通誘導棒をぶつけた時の相手物や誘導棒本体の損傷を防止、軽減することが可能となる。そのことにより車の運転者との無用なトラブルも防ぐことができる。
【考案を実施するための最良の形態】
【０００６】交通誘導棒の発光部の全体、又は一部に軟質材料を使用する。あるいは軟質材料で形成された緩衝保護具を交通誘導棒の発光部に装着することにより、交通誘導棒をぶつけた時の衝撃を和らげ、損傷を防止、軽減することができる。
【実施例】
【０００７】図１は、本発明たる請求項１の発明の一実施例を示す断面図で、交通誘導棒の発光部の先端蓋部３の材質に軟質材料を使用したものである。透明色を含む色や、断面形状を限定するものではない。【０００８】図２は、本発明たる請求項２の発明の一実施例を示す断面図で、交通誘導棒の発光部に軟質材料で形成された緩衝保護具４、５を装着したものである。緩衝保護具の透明色を含む色や、断面形状、使用個数を限定するものではない。
【図面の簡単な説明】
【０００９】
【図１】本請求項１の発明の一実施例を示す一部断面図。
【図２】本請求項２の発明の一実施例を示す一部断面図。
【図３】従来交通誘導棒の発光部外形形状の一部断面図。
【図４】従来交通誘導棒の斜視図。
【符号の説明】
【００１０】  １  交通誘導棒本体
２  発光部
３  先端蓋部
４、５  緩衝保護具
【図１】
0003146343.tif 000003
【図２】
0003146343.tif 000004
【図３】
0003146343.tif 000005
【図４】
0003146343.tif 000006
(57)【要約】      （修正有）【課題】太陽光発電パネルのリード線がじゃまになることなく窓や壁面のサッシに取り付けることができる太陽光発電窓パネル取付窓装置を提供する。【解決手段】通常のビルや住宅に使われるサッシに太陽光発電パネルの端子部分を取り込む穴や電極を付けて、従来からサッシが持つ、建物用の性能や美観をそのままに、簡単に太陽光発電パネルを取付けられる様にしたことを特徴とする。【選択図】図２
0003146345.tif 000002
【実用新案登録請求の範囲】
【請求項１】
窓・壁面用サッシ枠（２）のパネルはめ込み溝に太陽光発電窓パネル電力端子部（４）及び電力取出線（８）が通る穴（５）を開け、その穴に太陽光発電窓パネル電力端子部（４）及び電力取出線（８）を通すことができるようにした、太陽光発電窓パネル取付窓装置。
【請求項２】
窓・壁面用サッシ枠（２）のパネルはめ込み溝に集電電極（９）を通す穴を開け、この穴を通して太陽光発電窓パネルリード線（１１）に集電電極（９）を当てるようにした、太陽光発電窓パネル取付窓装置。
【考案の詳細な説明】
【技術分野】
【０００１】  本考案は太陽光発電パネルを窓や壁面に取付ける為のもので、従来のサッシやガラスと同様に太陽光発電パネルを窓や壁に組み込み、かつ、発電電力を太陽光パネルから建物側へ取り出す事が出来るようにするためのものである。
【背景技術】
【０００２】  太陽光発電パネルは太陽光を極力受けられる様に、通常、屋根等屋外に水平方向に設置されることを前提に作られており、電力を取り出す為のリード線が防水の為に工夫されて、裏面の大きな端子箱からリード線が出ているものが大部分で、横方向からリード線が出ているものも、防水の為にガラス面からはみ出して端子箱が付けられており、取り扱いが難しいものである。
その一方、太陽光発電パネルの太陽光変換能力の向上がなかなか上がらない中、壁面等に垂直に取り付けたり、透明で熱線反射ガラスの様な役目を果たすものが出来たり、用途の広がりで販売数を伸ばす動きがある。
【考案の開示】
【考案が解決しようとする課題】
【０００３】  太陽光発電パネルを垂直に取付ける様になると、背面にある電力取出しの端子箱やリード線が邪魔になり、壁に直接取付られなくなってしまう。また、横方向から電力取出しリード線が出ているタイプは壁に直接取付けられるものの、隣り合うパネル面のリード線が邪魔になり、また、防水の問題もあり隣合うパネルを円滑に壁面に取付けることができない。更に、透明なタイプの太陽光発電パネルを窓ガラスとして利用する場合にも、通常、壁面や窓に利用されるサッシはガラスをパッキンを介して、鉄やアルミの溝にはめ込んで固定するため、太陽光発電パネルで横方向にリード線や端子箱が出ているタイプのものでも端子箱やリード線が邪魔になり、サッシに収める事ができないため、一般的ビルや住宅には不向きになっている。
隣り合うパネルを効率的に繋ぎ、かつ、電力取出しリード線を接続するシステムが必要となってくる。
【課題を解決するための手段】
【０００４】  本考案は、通常のサッシが、デザイン性、強度保持の為に持っている凹凸部分の中に太陽光発電パネルの端子部分の凸部と電力取出しリード線を納める工夫にある。サッシの通常ガラスを飲み込む凹部分に太陽光発電パネルの端子部分が入る穴を開けることにより、端子部分がサッシ内に飲み込まれる為、太陽光発電パネルは通常のガラスと同様扱って、サッシにはめる事ができると同時に、リード線はサッシの内側の建物側に取り込める様になる。同様に、太陽光発電パネルが端子箱を持たない、銅版等のリード線だけが出たタイプでは、リード線の位置に合わせてサッシの凹部に穴を開けて、リード線に向けて集電電極を押し当てる。集電電極はバネによってリード部に押し付ける。また、長期利用の為にバネ力の減衰を避けて磁石の磁力によって押し付けることもできる。なお、短絡防止の為、短絡防止シートをリード線とサッシの間及び集電電極周囲に入れる。
【考案の効果】
【０００５】  本考案により、通常のサッシにわずかな改良を加えるだけで、太陽光発電パネルをサッシに入れる事が出来るため、従来のビルや住宅の窓に簡単に設置することができ、設置費の低減と省エネルギーの促進に役立つ。更に、サッシへの加工がわずかである為、太陽光発電パネル取付による強度低下の影響も無い。また、太陽光発電パネルは張り合わせで作られる為に、横方向からの水の浸入に弱いが、通常のサッシでのガラス取付と同様に、パッキンでパネル面を押さえ、かつ、下部の水抜き処理ができている既製品を使うので、屋外等の雨の掛かる環境でも安心して太陽光発電パネルを利用できるし、大面積の連窓も可能である。また、リード線部分から直接集電するタイプでは端子箱なしの為、更なるコストダウンがはかれる。
【考案を実施するための最良の形態】
【０００６】  サッシ（２）に電力端子用穴（５）を開けて、太陽光発電パネルの電力端子部（４）と電力取出線（８）を通し、太陽光発電パネルをサッシにセットしてパッキンで固定する。なお、状況によってはコーキング剤で更なる浸水防止を行う。その後、電力取出線（８）を配線して、次の連窓サッシを取付ける。また、電力端子部（４）が無く、リード線（１１）のみの太陽光発電パネルは、リード線（１１）が当たる位置にサッシにあらかじめ電極端子箱（１２）を取付けておく。電力端子箱（１２）は集電電極（９）をバネ（１０）または磁石等により前方突き出すと共に、集電電極の反対側には電力取出線（８）が取付られている。この状態で、太陽光発電パネルをセットすれば、自動的に太陽光発電パネルのリード線（１１）が集電電極（９）に当たり、太陽光発電パネルと建物側のサッシ配線が完成する。
【図面の簡単な説明】
【図１】サッシによる連窓（壁）とその一枚部分
【図２】サッシと太陽光発電パネル差し込み部
【図３】太陽光発電パネル差し込み部詳細
【符号の説明】
（１）は連窓（壁）サッシ
（２）は連窓（壁）サッシの一部を取り出したところ
（３）は太陽光発電パネル
（４）は電力端子部
（５）は端子部用穴
（６）はサッシ詳細
（７）はパッキン
（８）は電力取出線
（９）は集電電極
（１０）は電極突き出しバネ（磁石）
（１１）はリード線
（１２）は電力端子箱
【図１】
0003146345.tif 000003
【図２】
0003146345.tif 000004
【図３】
0003146345.tif 000005